(57)【要約】      （修正有）【課題】シートバックのベースとなるフレーム自体が形状変形することを最小限に抑えて背中を確実にホールドするとともに、後方へ振り向いた場合において変化させたい場合のみ振り向き動作に応じて変化可能な椅子用シートバックを提供する。【解決手段】本発明にかかる椅子用シートバック１００は、座部に対し、直接又はリクライニング機構９１を介して取付けられた支持部１０と、支持部１０に対し、直接的又は間接的に回転可能に形成された側方シートバック４０と、側方シートバック４０を前方側へ付勢する付勢部材６０と、を備えたことを特徴とする。【選択図】図１
2019077240.tif 000002
【特許請求の範囲】
【請求項１】
座部に対し、直接又はリクライニング機構を介して取付けられた支持部と、
前記支持部に対し、直接的又は間接的に回転可能に形成された側方シートバックと、
前記側方シートバックを前方側へ付勢する付勢部材と、
を備えたことを特徴とする椅子用シートバック。
【請求項２】
前記側方シートバックは、前記支持部の両側に形成されていることを特徴とする請求項１に記載の椅子用シートバック。
【請求項３】
前記支持部の両側に形成されているそれぞれの前記側方シートバックの回転軸部は、いずれも同一軸であることを特徴とする請求項２に記載の椅子用シートバック。
【請求項４】
前記側方シートバックは、所定の位置以上、前方側又は後方側へ回転しないようにストップ機構を備えていることを特徴とする請求項１から３のいずれか１項に記載の椅子用シートバック。
【請求項５】
前記側方シートバックの回転軸部には、所定の角度で位置を固定可能なロック機構を備えていることを特徴とする請求項１から４のいずれか１項に記載の椅子用シートバック。
【請求項６】
前記ロック機構を解除する手動又は電動の操作手段を備えていることを特徴とする請求項５に記載の椅子用シートバック。
【請求項７】
前記側方シートバックの移動を制御可能なアクチュエーターを備えていることを特徴とする請求項１から６のいずれか１項に記載の椅子用シートバック。
【請求項８】
請求項１から７のいずれか１項に記載の椅子用シートバックを備えた車両用シート。
【発明の詳細な説明】
【技術分野】
【０００１】
本発明は、椅子用シートバック及び車両用シートに関する。
【背景技術】
【０００２】
着座者の背を確実に支持することができるとともに、幅方向一方側から後方へと振り向くような姿勢をとった場合に、当該姿勢に追従させることが可能な椅子として、脚体と、該脚体に支持される背凭れ支持体と、該背凭れ支持体に支持される背凭れ後部支持部材と、該背凭れ後部支持部材に支持され、着座者の背を支持する背凭れと、を備え、
前記背凭れは、前記着座者の背を受けるとともに、該背に応じて変位可能な可撓性を有する張り材と、前記張り材に取り付けられるとともに下端が前記背凭れ後部支持部材に連結され、前記着座者の背から作用する力に応じて捩れ変形可能な幅方向に離間した一対の縦枠部とを有することを特徴とするものが提案されている（特許文献１）。
【０００３】
しかしながら、このような椅子の場合、背凭れに使用する張り材が大きく捻じり変形可能でなければならず、シートバックによる背中の支持がふわふわした感じになり、しっかりとしたフィット感を有する形状固定型のシートバックとすることができないという問題があった。
【０００４】
特に、車両用シートとして使用する場合には、背中を確実にホールドする必要がある。そのため、シートバック自体が容易に大きく捻じれ変形するものを使用することができないという問題点があった。
【０００５】
また、運転中のように、背もたれにかなり大きな力が加わった場合であっても変位してはいけない場合があるが、そのような場合に対応することができない、という問題点があった。
【先行技術文献】
【特許文献】
【０００６】
【特許文献１】特開２０１４−７９５１１号公報
【発明の概要】
【発明が解決しようとする課題】
【０００７】
そこで、本発明は、背中を確実にホールドするとともに、後方へ振り向いたときであって、変化させたい場合にのみ振り向き動作に応じて変化可能な椅子用シートバックを提供することを目的とする。
【課題を解決するための手段】
【０００８】
本発明は、上述の目的を達成するために、以下の手段を採った。
【０００９】
本発明にかかる椅子用シートバックは、
座部に対し、直接又はリクライニング機構を介して取付けられた支持部と、
前記支持部に対し、直接的又は間接的に回転可能に形成された側方シートバックと、
前記側方シートバックを前方側へ付勢する付勢部材と、
を備えたことを特徴とする。
【００１０】
本発明は、左右のいずれか又は両方に配置された側方シートバックが支持部に対して回転可能に形成されているので、側方シートバックのみが後方側に回転移動可能になる。そのため、振り向き動作を行った場合に、振り向いた方向に側方シートバックが移動することになるため、シートバックが固定されている椅子と比較して、腹部や肩部自体も振り向いた方向へ移動させることができるため、より大きく振り向くことができるようになる。
【００１１】
また、本発明にかかる椅子用シートバックにおいて、
前記側方シートバックは、前記支持部の両側に形成されていることを特徴とするものであってもよい。
【００１２】
かかる構成を採用することによって、左右のいずれの方向に振り向く場合にも大きく振り向くことが可能になる。
【００１３】
さらに、本発明にかかる椅子用シートバックにおいて、
前記支持部の両側に形成されているそれぞれの前記側方シートバックの回転軸部が、いずれも同一軸であることを特徴とするものであってもよい。
【００１４】
左右のシートバックの回転軸部を同一の軸とすることによって、回転機構を一箇所に集中させることができるので、省スペースで左右両側の側方シートバックを可動可能にすることができる。
【００１５】
さらに、本発明にかかる椅子用シートバックにおいて、
前記側方シートバックは、所定の位置以上、前方側又は後方側へ回転しないようにストップ機構を備えていることを特徴とするものであってもよい。
【００１６】
かかる構成を採用することによって、側方シートバックに対する力を解除した場合に常に同じ位置に側方シートバックを復帰させることができる。また、振り向いた際に側方シートバックに力を加えすぎた場合であっても、側方シートバックが後方側に回転しすぎることを防止することができる。
【００１７】
さらに、本発明にかかる椅子用シートバックにおいて、前記側方シートバックの回転軸部には、所定の角度で固定可能なロック機構を備えていることを特徴とするものであってもよい。
【００１８】
かかる構成を採用することによって、所定の決まった角度で側方シートバックを固定することができるため、任意の角度に調整しやすく、使い勝手のよい側方シートバックとすることができる。
【００１９】
さらに、本発明にかかる椅子用シートバックにおいて、前記ロック機構を解除する手動又は電動の操作手段を備えていることを特徴とするものであってもよい。
【００２０】
かかる構成を採用することによって、側方シートバックを任意に固定又は移動させることができるので、より使いやすいものとすることができる。
【００２１】
さらに、本発明にかかる椅子用シートバックにおいて、前記側方シートバックの移動を制御可能なアクチュエーターを備えていることを特徴とするものであってもよい。
【００２２】
かかる構成を採用することによって、側方シートバックを移動させる際に、人力で移動させる必要がなくなるため、より使い易い椅子用シートバックとすることができる。
【００２３】
さらに、本発明は上述した椅子用シートバックを使用した車両用シートを提供する。本発明にかかる車両用シートによれば、大きく後方に振り向くことができるので、例えば、前方座席に座っている人が後部座席に座っている人と話をしたい場合や後部座席の荷物を取りたい場合等に有効である。
【図面の簡単な説明】
【００２４】
【図１】図１は、実施形態にかかる椅子用シートバック１００を有する車両用シート２００を示す斜視図である。
【図２】図２は、実施形態にかかる椅子用シートバック１００の背面側を示す斜視図である。
【図３】図３は、実施形態にかかる椅子用シートバック１００の補助フレーム３５の回転軸部を示す斜視図である。
【図４】図４は、実施形態にかかる椅子用シートバック１００の右側シートバック２０の回転状態を示す上面図である。
【図５】図５は、実施形態にかかる椅子用シートバック１００に取付けられる付勢部材の変形例を示す図である。
【図６】図６は、実施形態にかかる椅子用シートバック１００の回転軸部５０の変形例を示す図である。
【発明を実施するための形態】
【００２５】
以下、本発明の実施形態について図面に沿って詳細に説明する。なお、以下に説明する実施形態及び図面は、本発明の実施形態の一部を例示するものであり、これらの構成に限定する目的に使用されるものではない。また、各図において対応する構成要素には同一又は類似の符号が付されている。本発明の実施形態においては、椅子用シートバック１００を車両用シート２００に適用したものを例として説明するが、本発明に係る椅子用シートバック１００は、車両用シート２００に限定されるものではなく、電動車椅子や通常の椅子等にも適用可能であり、これらも権利範囲に含むものである。
【００２６】
本実施形態にかかる椅子用シートバック１００は、図１に示すように、車両用シート２００の中央に配置されている支持部１０と、着座時に右側に配置される右側シートバック２０と、着座時に左側に配置される左側シートバック３０とからなる側方シートバック４０と、これら左右の側方シートバック４０を回転可能に支持する回転軸部５０（図２参照）と、これら側方シートバック４０の左右両側端部を前方側へ付勢する付勢部材６０と、ストップ機構及びロック機構を有するラウンドユニット７０（図３参照）を主として備えている。
【００２７】
支持部１０は、シートクッションフレーム９０に対して、リクライニング機構９１を介して取付けられている。そのため、支持部１０は、リクライニング機構９１によって前後方向にのみ回転移動するが、左右の方向に移動することはない。支持部１０は、椅子用シートバック１００の中央に配置されている。なお、本実施形態においては、パイプにより略逆Ｕ字形状となるように作製されているが、これに限定されるものではない。支持部１０は、側方シートバック４０の回動の基部として機能するものであるので、座部（車両用シートの場合は、シートクッションフレーム９０）に対して直接的又はリクライニング機構等を介して間接的に取付けられており、かつ左右方向に移動しないように形成されていればよい。
【００２８】
側方シートバック４０は、着座時に右側に配置される右側シートバック２０と、着座時に左側に配置される左側シートバック３０とを有し、それぞれ、椅子用シートバック１００の右側及び左側の外形を形成しやすいように、パイプによって略コの字状に形成されている。それぞれ右側シートバック２０及び左側シートバック３０は、図２に示すように、支持部１０の背面側に回転軸部５０を有しており、図４の矢印に示すように、それぞれ端部側が弧を描くように回転可能に支持されている。回転軸部５０は、略コの字のフレームの中央側の端部又は端部近傍であって、椅子用シートバック１００の上方側と下方側に形成されている。本実施形態においては、右側シートバック２０の回転軸部５０ａと左側シートバック３０の回転軸部５０ｂが同一軸に形成されている。また、本実施形態においては、さらに略コの字の間に補助フレーム３５が形成されており、椅子用シートバック１００の上下の中央近傍にも回転軸部５０ａ及び回転軸部５０ｂが形成されている。このように補助フレーム３５を設けることによって、フレーム全体の剛性が強くなり、フレームの撓みを抑えることができる。補助フレーム３５は、複数本設けても構わない。
【００２９】
回転軸部５０は、図２に示すように、支持部１０に固定されている固定ブラケット１１と、この固定ブラケット１１に対して回転可能に設けられた可動ブラケット１２とを有しており、この可動ブラケット１２に右側シートバック２０、左側シートバック３０及び補助フレーム３５の端部が固定されている。すなわち、可動ブラケット１２が固定ブラケット１１に対して回転することにより、右側シートバック２０及び左側シートバック３０が回転移動することになる。好ましくは、図３に示すように、いずれかの回転軸部５０に車両用シートのリクライニング装置に設けられているのと同様のラウンドユニット７０を設けるとよい。ラウンドユニット７０は、操作手段８０によって、所定の角度でロック及びストップさせることができる機構である。このようにラウンドユニット７０を設けることによって、右側シートバック２０及び左側シートバック３０の前方側への最大回転角度、後方側への最大回転角度を設定することができ、ストッパーとしての機能を有する。また、あらかじめ設定された任意の角度でロックさせることができるようになる。例えば、５°、１０°・・・４５°といった具合に５°ごとに段階的に固定可能となるように設定することもできる。ラウンドユニット７０は、特に限定するものではなく既知のものを種々選択して使用することができる。
【００３０】
付勢部材６０は、右側シートバック２０及び左側シートバック３０の端部が前方側へ回転する方向へ付勢しておくための手段である。付勢部材６０としては、図１に示すように、回転中心より前側へ配置する場合には、縮む方向に付勢させた引張りばね６１を使用する。引張りばね６１として本実施形態では、波状に金属ワイヤを折り返したタイプのものを使用しているが、勿論これらに限定するものではなく、コイル状の引張ばねであってもよい。また、付勢部材６０を回転軸部５０より後方側に配置する場合には、図５に示すように、広がる方向に付勢させた圧縮ばね６２を使用してもよい。また、回転軸部５０自体に回転ばねやトルク装置（図示しない。）を取付けて右側シートバック２０及び左側シートバック３０を前方側へ付勢してもよい。要するに右側シートバック２０及び左側シートバック３０を前方側へ付勢する手段であれば特にその手段は限定するものではない。また、付勢部材６０の数、強さ等は特に限定するものではなく、適宜使用に応じて選択することができる。このように付勢部材６０を設けることによって、通常の状態（力が加わっていない状態）では、右側シートバック２０及び左側シートバック３０が最も前方に位置し、背中をホールドしやすい状態になる。
【００３１】
こうして構成された椅子用シートバック１００は、背もたれ用クッションやクッションカバーが取付けられて車両用シート２００として使用することができる。車両用シート２００は、通常の状態のときは、右側シートバック２０及び左側シートバック３０が不用意に移動することがないようにラウンドユニット７０によってロックされている。よって運転中等に側方シートバック４０に後方へ押すような力が加わっても側方シートバック４０が動くことはないので、安心して運転を行うことができる。この状態から後方に振り向いた場合であっても操作手段８０を操作していない状態では側方シートバック４０が移動することはない。大きく振り向きたい場合には、操作手段８０を操作してラウンドユニット７０のロック機構を解除する。この状態で、例えば右方向に振り向くと、右側シートバック２０のロックは解除されているので、後ろを向く動作を行うことにより、着座している人の腹部や肩部によって右側シートバック２０に対して後方側へ押圧する力が加わるので、図４Ｂに示すように、右側シートバック２０は回転軸部５０を中心に後方側へ回転移動する。これにより、腹部や肩部とともに大きく後ろへ振り向くことができる。この際に、この状態を維持したい場合には、操作手段８０を離すことによってラウンドユニット７０にロックがかかり右側シートバック２０は後方側へ回転している図４Ｂの状態を維持するので、振り向く度に肩や腹部で右側シートバック２０を後方側へ押す必要がなくなる。元の位置に戻したい場合には、操作手段８０によってラウンドユニット７０のロックを解除することによって、付勢部材６０により初期の位置、すなわち、右側シートバック２０が最も前側にある状態に復帰することになる。左側へ振り向きたい場合も同様の操作により左側シートバック３０が後方側に回転移動する。
【００３２】
このように、本発明にかかる椅子用シートバック１００によれば、後方へ大きく振り向きたい場合には、側方シートバック４０が後方に回転移動することにより大きく振り向くことができる。そのため、後方座席の人と面と向かって話しやすくなる。また、後方座席の荷物を拾ったり、後方座席の子供の世話をしたりする場合等にシートベルトを外すことなく作業を行うことができるようになる。一方で、側方シートバック４０を動かしたくない場合には、操作手段８０を操作しない限り、回転することはないので、安心して車両を運転することができる。
【００３３】
なお、上述した実施形態においては、右側の回転軸部５０ａと左側の回転軸部５０ｂは、同一軸上に存在するものとしたが、これに限定するものではなく、図６に示すように別々の軸にしてもよい。
【００３４】
また、上述した実施形態においては、左右の両側の右側シートバック２０及び左側シートバック３０が回転するものとしたが、右側シートバック２０又は左側シートバック３０のいずれか一方のみを回転可能にしてもよい。例えば、自動車の車両用シートに使用する場合、一般的に振り向く場合にドア側に振り向くことは少なく、中央側に振り向くことが多いので、振り向く方向の多い方のみを回転可能に形成してもよい。
【００３５】
さらに、実施形態においては、右側シートバック２０及び左側シートバック３０をパイプによりフレーム状に形成したが、これに限定するものではなく、板状に形成してもよい。
【００３６】
さらに、上述した実施形態においては、ラウンドユニット７０を解除するのに、操作手段８０により手動で行っていたが、タブレットやスマホにより操作して信号によりロック解除できるようにしたり、音声認識や、画像認識により振り向きを検知して解除するようにしてもよい。
【００３７】
さらに、上述した実施形態においては、右側シートバック２０及び左側シートバック３０を移動させるのに振り向く際の身体の押圧力を利用したが、トルク装置等に制御可能なアクチュエーターを用いてスイッチ等により電気的に移動可能としてもよい。
【００３８】
なお、本発明は上述した実施形態に何ら限定されることはなく、本発明の技術的範囲に属する限り種々の態様で実施し得る。
【産業上の利用可能性】
【００３９】
上述した実施形態で示すように、車両用シートとして、産業上利用可能である。
【符号の説明】
【００４０】
１０…支持部、１１…固定ブラケット、１２…可動ブラケット、２０…右側シートバック、３０…左側シートバック、３５…補助フレーム、４０…側方シートバック、５０…回転軸部、５０ａ…回転軸部、５０ｂ…回転軸部、６０…付勢部材、７０…ラウンドユニット、９０…シートクッションフレーム、９１…リクライニング機構、１００…椅子用シートバック、２００…車両用シート
【図１】
2019077240.tif 000003
【図２】
2019077240.tif 000004
【図３】
2019077240.tif 000005
【図４】
2019077240.tif 000006
【図５】
2019077240.tif 000007
【図６】
2019077240.tif 000008